(57)【要約】【課題】装置の大型化を抑制するとともに、組立て作業および各部材の交換（修理）等の作業が容易な撮像装置を提供する。【解決手段】この撮像装置１００は、入射光を増幅するイメージ・インテンシファイア１と、イメージ・インテンシファイア１により増幅された出力光に基づいて画像を撮像する撮像部２と、イメージ・インテンシファイア１の出力光を撮像部２の受光面２ａに伝送するＧＲＩＮレンズアレイ３とを備え、ＧＲＩＮレンズアレイ３の出射面３ｂと撮像部２の受光面２ａとは、互いに離間した状態で対向するように設けられている。【選択図】図２
2017163394.tif 000002
【特許請求の範囲】
【請求項１】
入射光を増幅するイメージ・インテンシファイアと、
前記イメージ・インテンシファイアにより増幅された出力光に基づいて画像を撮像する撮像部と、
前記イメージ・インテンシファイアの出力光を前記撮像部の受光面に伝送する屈折率分布型レンズとを備え、
前記屈折率分布型レンズの出射面と前記撮像部の前記受光面とは、互いに離間した状態で対向するように設けられている、撮像装置。
【請求項２】
前記イメージ・インテンシファイアを含むイメージ・インテンシファイア用モジュールと、前記撮像部を含む撮像部用モジュールと、前記屈折率分布型レンズを含む屈折率分布型レンズ用モジュールとをさらに備え、
前記イメージ・インテンシファイア用モジュール、前記撮像部用モジュール、および、前記屈折率分布型レンズ用モジュールはそれぞれ、個別に着脱可能なように構成されている、請求項１に記載の撮像装置。
【請求項３】
前記受光面を覆うカバー部をさらに備え、
前記屈折率分布型レンズの前記出射面は、前記カバー部に対して離間した位置に設けられている、請求項１または２に記載の撮像装置。
【請求項４】
前記屈折率分布型レンズの入射面は、対向する部材と非接触状態で設けられている、請求項１〜３のいずれか１項に記載の撮像装置。
【請求項５】
前記イメージ・インテンシファイアと前記屈折率分布型レンズとの間に配置される、画像の伝送を調整する調整部材をさらに備える、請求項１〜４のいずれか１項に記載の撮像装置。
【請求項６】
前記調整部材は、テーパファイバ、または、マイクロレンズアレイのうちのいずれか１つを含む、請求項５に記載の撮像装置。
【発明の詳細な説明】
【技術分野】
【０００１】
この発明は、撮像装置に関し、特に、イメージ・インテンシファイアにより増幅された出力光に基づいて画像を撮像する撮像部を備える撮像装置に関する。
【背景技術】
【０００２】
従来、イメージ・インテンシファイアにより増幅された出力光に基づいて画像を撮像する撮像部を備える撮像装置が知られている（たとえば、特許文献１参照）。
【０００３】
上記特許文献１には、入射光を増幅するイメージ・インテンシファイアと、イメージ・インテンシファイアにより増幅された出力光に基づいて画像を撮像する撮像部（ＣＣＤ）と、イメージ・インテンシファイアの出力光を撮像部に伝送するテーパファイバとを備える撮像装置（暗視カメラ）が開示されている。ここで、テーパファイバは、テーパファイバの一端面をイメージ・インテンシファイアの像面に直結させることによって、イメージ・インテンシファイアの像面の像をテーパファイバの他端面に伝送するように構成されている。また、テーパファイバは、テーパファイバの他端面を撮像装置の受光面に直結させることによって、テーパファイバの他端面の像を撮像部に伝送するように構成されている。したがって、上記特許文献１の撮像装置では、テーパファイバを介して画像を伝送するために、テーパファイバの一端面をイメージ・インテンシファイアに接着（密着）させるとともに、テーパファイバの他端面を撮像部に接着（密着）させるように構成されている。
【先行技術文献】
【特許文献】
【０００４】
【特許文献１】特開２００３−３０４４３５号公報
【発明の概要】
【発明が解決しようとする課題】
【０００５】
従来の撮像装置では、イメージ・インテンシファイアからの像を撮像部に伝送するためにリレーレンズが用いられていたが、上記特許文献１のように、リレーレンズより像間距離の小さいテーパファイバを用いることによって、装置を小型化することができる。しかしながら、上記特許文献１では、テーパファイバの端面をそれぞれ、イメージ・インテンシファイアの像面と撮像部の受光面とに接着（密着）する必要があるので、撮像装置の組立て時においては、接着（密着）作業が必要になるとともに、各部材を交換（修理）等するために取り外す場合においては、接着（密着）を解除する作業が必要となる。このように、装置の大型化を抑制するために、テーパファイバにより像の伝送を行う場合には、撮像装置の組立て作業、および、各部材の交換（修理）等の作業が複雑になるという問題点がある。
【０００６】
この発明は、上記のような課題を解決するためになされたものであり、この発明の１つの目的は、装置の大型化を抑制するとともに、組立て作業および各部材の交換（修理）等の作業が容易な撮像装置を提供することである。
【課題を解決するための手段】
【０００７】
上記目的を達成するために、この発明の一の局面における撮像装置は、入射光を増幅するイメージ・インテンシファイアと、イメージ・インテンシファイアにより増幅された出力光に基づいて画像を撮像する撮像部と、イメージ・インテンシファイアの出力光を撮像部の受光面に伝送する屈折率分布型レンズとを備え、屈折率分布型レンズの出射面と撮像部の受光面とは、互いに離間した状態で対向するように設けられている。
【０００８】
上記のように、屈折率分布型レンズの出射面と撮像部の受光面とが、互いに離間した状態で対向するように設けられていることによって、屈折率分布型レンズの出射面と撮像部の受光面との接着作業が不要となるので、撮像装置の組立作業を容易にすることができる。また、屈折率分布型レンズまたは撮像部を、修理（交換）等のために取り外す際に、接着を解除する作業が不要となるので、修理（交換）等の作業を容易にすることができる。また、屈折率分布型レンズは、リレーレンズに比べて物像間距離が小さいので、装置の大型化を抑制することができる。したがって、本発明では、装置の大型化を抑制するとともに、組立て作業および各部材の交換（修理）等の作業が容易な撮像装置を提供することができる。
【０００９】
上記一の局面による撮像装置において、好ましくは、イメージ・インテンシファイアを含むイメージ・インテンシファイア用モジュールと、撮像部を含む撮像部用モジュールと、屈折率分布型レンズを含む屈折率分布型レンズ用モジュールとをさらに備え、イメージ・インテンシファイア用モジュール、撮像部用モジュール、および、屈折率分布型レンズ用モジュールはそれぞれ、個別に着脱可能なように構成されている。このように構成すれば、イメージ・インテンシファイア、撮像部、または、屈折率分布型レンズのうちのいずれかを、修理（交換）等のために取り外す際に、モジュール単位で個別に取り外して交換することができるので、修理（交換）等の作業をさらに容易にすることができる。
【００１０】
上記一の局面による撮像装置において、好ましくは、受光面を覆うカバー部をさらに備え、屈折率分布型レンズの出射面は、カバー部に対して離間した位置に設けられている。このように構成すれば、屈折率分布型レンズの出射面とカバー部との接触が抑制されるので、屈折率分布型レンズ、または、カバー部を含む撮像部の着脱をさらに容易にすることができる。また、受光面がカバー部に覆われることによって、受光面に粉塵等の異物が付着することを抑制することができるので、受光面による受光を適切に行うことができる。
【００１１】
上記一の局面による撮像装置において、好ましくは、屈折率分布型レンズの入射面は、対向する部材と非接触状態で設けられている。このように構成すれば、屈折率分布型レンズの着脱の際に、屈折率分布型レンズと屈折率分布型レンズの入射面に対向する部材との接触を抑制することができる。これにより、屈折率分布型レンズの着脱をさらに容易にすることができる。
【００１２】
上記一の局面による撮像装置において、好ましくは、イメージ・インテンシファイアと屈折率分布型レンズとの間に配置される、画像の伝送を調整する調整部材をさらに備える。ここで、画像の伝送を正常に行うためには、イメージ・インテンシファイアから出力される像の大きさと、屈折率分布型レンズの入射面の大きさとを、適切な関係にする必要がある。しかし、部材の交換等により、イメージ・インテンシファイアから出力される像の大きさと、屈折率分布型レンズの入射面の大きさとが適切な関係からずれる場合がある。そこで、本発明では、イメージ・インテンシファイアと屈折率分布型レンズとの間に、イメージ・インテンシファイアから出力される像の大きさを調整する調整部材を設ける。このように構成すれば、イメージ・インテンシファイアから出力される像の大きさと、屈折率分布型レンズの入射面の大きさとの関係を容易に調整することができる。
【００１３】
この場合、好ましくは、調整部材は、テーパファイバ、または、マイクロレンズアレイのうちのいずれか１つを含む。ここで、テーパファイバ、および、マイクロレンズアレイはそれぞれ、短い物像間距離で像のサイズ調整が可能であるため、撮像装置の大型化を抑制しつつ、イメージ・インテンシファイアと屈折率分布型レンズとの間の空隙に収容できる。したがって、調整部材として、テーパファイバ、または、マイクロレンズアレイのうちのいずれかを用いることによって、撮像装置の大型化を抑制しながら、画像の伝送を調整することができる。
【発明の効果】
【００１４】
本発明によれば、上記のように、装置の大型化を抑制するとともに、組立て作業および各部材の交換（修理）等の作業が容易な撮像装置を提供することができる。
【図面の簡単な説明】
【００１５】
【図１】本発明の第１実施形態による撮像装置の全体構成を示したブロック図である。
【図２】本発明の第１実施形態による撮像装置の構成を示した図である。
【図３】本発明の第１実施形態による撮像装置の屈折率分布型レンズの構成を示した図である。
【図４】本発明の第２実施形態による撮像装置の構成を示した図である。
【図５】本発明の第１実施形態の変形例による撮像装置の構成を示した図である。
【図６】本発明の第２実施形態の変形例による撮像装置の構成を示した図である。
【発明を実施するための形態】
【００１６】
以下、本発明の実施形態を図面に基づいて説明する。
【００１７】
［第１実施形態］
まず、図１〜図３を参照して、本発明の第１実施形態による撮像装置１００の構成について説明する。
【００１８】
撮像装置１００は、夜間や暗所でも視界を確保することが可能である。特に、ヘリコプタ用、航空機用のヘルメットなどに搭載される場合は、装置の小型化が要求されている。
【００１９】
図１に示すように、撮像装置１００は、イメージ・インテンシファイア１と、撮像部２と、ＧＲＩＮ（ｇｒａｄｉｅｎｔ  ｉｎｄｅｘ）レンズアレイ３と、光学系４とを備える。なお、ＧＲＩＮレンズアレイ３は、特許請求の範囲の「屈折率分布型レンズ」の一例である。
【００２０】
イメージ・インテンシファイア１は、レンズ（図示せず）を含む光学系４を介して入射する光を増幅するように構成されている。具体的には、イメージ・インテンシファイア１は、光を電子に変換する光電面（図示せず）から放出される光電子を加速し、加速された光電子を蛍光面（図示せず）によって光に変換するように構成されている。すなわち、イメージ・インテンシファイア１は、光電面に入射した光を内部で増幅して、蛍光面から出射するように構成されている。
【００２１】
ＧＲＩＮレンズアレイ３には、イメージ・インテンシファイア１からの出力光を入射するとともに、撮像部２に伝送するように構成されている。また、ＧＲＩＮレンズアレイ３は、内部の屈折率が連続的に変化するように構成されている。ここで、光は、屈折率が大きい方向に曲がる性質を有する。したがって、ＧＲＩＮレンズアレイ３に入射した光は、ＧＲＩＮレンズアレイ３の内部を通る間に、屈折率の大きい方向に屈折しながら進行する。これにより、ＧＲＩＮレンズアレイ３は、ＧＲＩＮレンズアレイ３の外部において、光を収束させることができるとともに結像させることができる。
【００２２】
また、ＧＲＩＮレンズアレイ３は、内部の屈折率の調整、または、ＧＲＩＮレンズアレイ３の寸法の調整等によって、光の収束位置（像の結像位置）を制御することができる。たとえば、ＧＲＩＮレンズアレイ３は、ＧＲＩＮレンズアレイ３の後述する端面３ｂに像を結像させることができる。このように、ＧＲＩＮレンズアレイ３を用いることによって、物像間距離を小さくすることができる。
【００２３】
撮像部２は、ＧＲＩＮレンズアレイ３により伝送された光を受光するとともに、受光した光に基づいて画像を撮像するように構成されている。また、撮像部２は、外部制御信号を受信するとともに、イメージ・インテンシファイア１および撮像部２へ制御信号を送信する制御部５を含む。また、撮像部２は、イメージセンサによって、外界の画像をデジタル化するように構成されている。
【００２４】
具体的には、図２に示すように、イメージ・インテンシファイア１は、増幅された光を像面１ａから出射するように構成されている。また、ＧＲＩＮレンズアレイ３は、像面１ａと対向するように設けられた入射面３ａにより、像面１ａからの光を入射するとともに、入射した光を伝送し、出射面３ｂから出射するように構成されている。また、撮像部２は、出射面３ｂと対向するように設けられた受光面２ａにより、出射面３ｂからの光を受光するように構成されている。ＧＲＩＮレンズアレイ３は、イメージ・インテンシファイア１の像面１ａからの光が、撮像部２の受光面２ａにおいて結像するように構成されている。なお、ＧＲＩＮレンズアレイ３は、像面１ａの像の向きおよび大きさを変化させずに、撮像部２の受光面２ａに結像させるように構成されている。
【００２５】
ここで、第１実施形態では、ＧＲＩＮレンズアレイ３の出射面３ｂと撮像部２の受光面２ａとは、互いに離間した状態で対向するように設けられている。具体的には、出射面３ｂと受光面２ａとは、長さＬ１だけ離間して設けられている。このように構成することによって、出射面３ｂと受光面２ａとの間に、受光面２ａの後述するカバーガラス６を設けることができる。なお、カバーガラス６は、特許請求の範囲の「カバー部」の一例である。
【００２６】
また、第１実施形態では、撮像装置１００は、イメージ・インテンシファイア１を含むイメージ・インテンシファイア用モジュール１０を備えている。また、撮像装置１００は、撮像部２を含む撮像部用モジュール２０を備えている。また、撮像装置１００は、ＧＲＩＮレンズアレイ３を含むＧＲＩＮレンズ用モジュール３０を備えている。そして、イメージ・インテンシファイア用モジュール１０、撮像部用モジュール２０、および、ＧＲＩＮレンズ用モジュール３０はそれぞれ、撮像装置１００に個別に着脱可能なように構成されている。具体的には、イメージ・インテンシファイア１は、イメージ・インテンシファイア用モジュール１０の内部に収容されている。また、撮像部２は、撮像部用モジュール２０の内部に収容されている。また、ＧＲＩＮレンズアレイ３は、ＧＲＩＮレンズ用モジュール３０の内部に収容されている。イメージ・インテンシファイア用モジュール１０、撮像部用モジュール２０、および、ＧＲＩＮレンズ用モジュール３０は、たとえば、撮像装置１００の筐体（図示せず）等の内部に設けられた保持部材（図示せず）によってそれぞれ保持されるとともに、容易に着脱可能なように構成されている。
【００２７】
また、第１実施形態では、撮像部２には、受光面２ａを覆うカバーガラス６が備えられている。ＧＲＩＮレンズアレイ３の出射面３ｂは、カバーガラス６に対して離間した位置に設けられている。具体的には、出射面３ｂとカバーガラス６とは、長さＬ１よりも小さい長さＬ２だけ離間している。
【００２８】
また、第１実施形態では、ＧＲＩＮレンズアレイ３の入射面３ａは、対向する部材と非接触状態で設けられている。たとえば、入射面３ａと入射面３ａに対向するイメージ・インテンシファイア１とは、長さＬ３だけ離間している。
【００２９】
図３に示すように、ＧＲＩＮレンズアレイ３は、複数のＧＲＩＮレンズ３１が、アレイ状に整列するように設けられることによって構成されている。各々のＧＲＩＮレンズ３１は、円柱状を有しているとともに、光軸方向に延びるように構成されている。
【００３０】
（第１実施形態の効果）
第１実施形態では、以下のような効果を得ることができる。
【００３１】
第１実施形態では、上記のように、入射光を増幅するイメージ・インテンシファイア１と、イメージ・インテンシファイア１により増幅された出力光に基づいて画像を撮像する撮像部２と、イメージ・インテンシファイア１の出力光を撮像部２の受光面２ａに伝送するＧＲＩＮレンズアレイ３とを撮像装置１００に設け、ＧＲＩＮレンズアレイ３の出射面３ｂと撮像部２の受光面２ａとを、互いに離間した状態で対向するように設ける。このように、ＧＲＩＮレンズアレイ３の出射面３ｂと撮像部２の受光面２ａとを、互いに離間した状態で対向するように設けることによって、ＧＲＩＮレンズアレイ３の出射面３ｂと撮像部２の受光面２ａとの接着作業が不要となるので、撮像装置１００の組立作業を容易にすることができる。また、ＧＲＩＮレンズアレイ３または撮像部２を、修理（交換）等のために取り外す際に、接着を解除する作業が不要となるので、修理（交換）等の作業を容易にすることができる。また、ＧＲＩＮレンズアレイ３は、リレーレンズに比べて物像間距離が小さいので、撮像装置１００の大型化を抑制することができる。したがって、撮像装置１００の大型化を抑制するとともに、組立て作業および各部材の交換（修理）等の作業を容易にすることができる。
【００３２】
また、第１実施形態では、上記のように、イメージ・インテンシファイア１を含むイメージ・インテンシファイア用モジュール１０と、撮像部２を含む撮像部用モジュール２０と、ＧＲＩＮレンズアレイ３を含むＧＲＩＮレンズ用モジュール３０とを撮像装置１００に設け、イメージ・インテンシファイア用モジュール１０、撮像部用モジュール２０、および、ＧＲＩＮレンズ用モジュール３０をそれぞれ、個別に着脱可能なように構成する。これにより、イメージ・インテンシファイア１、撮像部２、または、ＧＲＩＮレンズアレイ３のうちのいずれかを、修理（交換）等のために取り外す際に、モジュール単位で個別に取り外して交換することができるので、修理（交換）等の作業をさらに容易にすることができる。
【００３３】
また、第１実施形態では、上記のように、受光面２ａを覆うカバーガラス６を撮像装置１００に設け、ＧＲＩＮレンズアレイ３の出射面３ｂを、カバーガラス６に対して離間した位置に設ける。これにより、ＧＲＩＮレンズアレイ３の出射面３ｂとカバーガラス６との接触が抑制されるので、ＧＲＩＮレンズアレイ３、または、カバーガラス６を含む撮像部２の着脱をさらに容易にすることができる。また、受光面２ａがカバーガラス６に覆われることによって、受光面２ａに粉塵等の異物が付着することを抑制することができるので、受光面２ａによる受光を適切に行うことができる。
【００３４】
また、第１実施形態では、上記のように、ＧＲＩＮレンズアレイ３の入射面３ａを、対向する部材（イメージ・インテンシファイア１）と非接触状態となるように設ける。これにより、ＧＲＩＮレンズアレイ３の着脱の際に、ＧＲＩＮレンズアレイ３とＧＲＩＮレンズアレイ３の入射面３ａに対向する部材（イメージ・インテンシファイア１）との接触を抑制することができる。これにより、ＧＲＩＮレンズアレイ３（または、イメージ・インテンシファイア１）の着脱をさらに容易にすることができる。
【００３５】
［第２実施形態］
図４を参照して、本発明の第２実施形態による撮像装置２００の構成について説明する。第２実施形態では、上記第１実施形態の構成に加えて、イメージ・インテンシファイア１とＧＲＩＮレンズアレイ３との間に、後述する調整部材７が設けられる構成について説明する。なお、上記第１実施形態と同様の構成は、第１実施形態と同じ符号を付して図示するとともに説明を省略する。
【００３６】
第２実施形態では、図４に示すように、撮像装置２００は、イメージ・インテンシファイア１とＧＲＩＮレンズアレイ３との間に配置される、画像の伝送を調整する調整部材７を備える。具体的には、調整部材７は、イメージ・インテンシファイア１の像面１ａの像の大きさを、ＧＲＩＮレンズアレイ３の入射面３ａに適合する大きさに調整するように構成されている。たとえば、調整部材７は、イメージ・インテンシファイア１の像面１ａの像の大きさを０．５倍に縮小して、ＧＲＩＮレンズアレイ３の入射面３ａに伝送するように構成されている。
【００３７】
また、第２実施形態では、調整部材７は、テーパファイバ７ａを含む。具体的には、テーパファイバ７ａは、イメージ・インテンシファイア１の像面１ａの像を、入射側の端面７０ａから出射側の端面７１ａに伝送するように構成されている。また、ＧＲＩＮレンズアレイ３は、テーパファイバ７ａの端面７１ａからの光が、撮像部２の受光面２ａにおいて結像するように構成されている。また、テーパファイバ７ａは、端面サイズの異なる円柱状形状を有している。たとえば、端面７０ａおよび端面７１ａはそれぞれ円形を有しているとともに、端面７１ａの面積が端面７０ａの面積の０．５倍になるように構成されている。
【００３８】
テーパファイバ７ａの端面７０ａは、イメージ・インテンシファイア１の像面１ａと密着するように構成されている。また、テーパファイバ７ａの端面７１ａとＧＲＩＮレンズアレイ３の入射面３ａとは、長さＬ４だけ離間している。
【００３９】
なお、第２実施形態のその他の構成は、上記第１実施形態と同様である。
【００４０】
（第２実施形態の効果）
第２実施形態では、以下のような効果を得ることができる。
【００４１】
第２実施形態では、上記のように、イメージ・インテンシファイア１とＧＲＩＮレンズアレイ３との間に配置される、画像の伝送を調整する調整部材７を撮像装置２００に設ける。ここで、画像の伝送を正常に行うためには、イメージ・インテンシファイア１から出力される像の大きさと、ＧＲＩＮレンズアレイ３の入射面３ａの大きさとを、適切な関係にする必要がある。しかし、部材の交換等により、イメージ・インテンシファイア１から出力される像の大きさと、ＧＲＩＮレンズアレイ３の入射面３ａの大きさとが適切な関係からずれる場合がある。そこで、イメージ・インテンシファイア１とＧＲＩＮレンズアレイ３との間に、イメージ・インテンシファイア１から出力される像の大きさを調整する調整部材７を設ける。これにより、イメージ・インテンシファイア１から出力される像の大きさと、ＧＲＩＮレンズアレイ３の入射面３ａの大きさとの関係を容易に調整することができる。
【００４２】
また、第２実施形態では、上記のように、調整部材７が、テーパファイバ７ａを含むように、撮像装置２００を構成する。ここで、テーパファイバ７ａは、短い物像間距離で像のサイズ調整が可能であるため、撮像装置２００の大型化を抑制しつつ、イメージ・インテンシファイア１とＧＲＩＮレンズアレイ３との間の空隙に収容できる。したがって、テーパファイバ７ａをイメージ・インテンシファイア１とＧＲＩＮレンズアレイ３との間に配置することによって、撮像装置２００の大型化を抑制しながら、画像の伝送を調整することができる。
【００４３】
なお、第２実施形態のその他の効果は、上記第１実施形態と同様である。
【００４４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４５】
たとえば、上記第１実施形態では、イメージ・インテンシファイア１とＧＲＩＮレンズアレイ３とが離間している例を示したが、本発明はこれに限られない。本発明では、図５に示すように、片側端面を結像面とするＧＲＩＮレンズ３を用いてイメージ・インテンシファイア１とＧＲＩＮレンズアレイ３とが密着するように構成されていてもよい。
【００４６】
また、上記第２実施形態では、テーパファイバ７ａの端面７１ａとＧＲＩＮレンズアレイ３の入射面３ａとが離間している例を示したが、本発明はこれに限られない。本発明では、端面７１ａと入射面３ａとが密着していてもよい。
【００４７】
また、上記第２実施形態では、調整部材７としてテーパファイバ７ａを用いる例を示したが、本発明はこれに限られない。本発明では、図６に示すように、調整部材７として、マイクロレンズアレイ７ｂを用いてもよい。
【００４８】
また、上記第１および第２実施形態では、イメージ・インテンシファイア１の像面１ａの画像と、撮像部２の受光面２ａに撮像される画像の向きが変化しない構成の例を示したが、本発明はこれに限られない。本発明では、受光面２ａの画像の向きが、像面１ａの画像の向きに対して反転するように構成されていてもよい。
【００４９】
また、上記第２実施形態では、像の大きさを縮小するために、調整部材７を用いる例を示したが、本発明はこれに限られない。本発明では、調整部材７によって、像の大きさを拡大するように構成されていてもよい。
【００５０】
また、上記第１および２実施形態では、イメージ・インテンシファイア１、撮像部２、および、ＧＲＩＮレンズアレイ３のそれぞれが、各モジュール内部に収容されている構成の例を示したが、本発明はこれに限られない。本発明では、イメージ・インテンシファイア１、撮像部２、および、ＧＲＩＮレンズアレイ３のそれぞれが、各モジュール内部に収容されずに、撮像装置１００（２００）の筐体内の保持部材に直接保持されている構成であってもよい。この場合でも、ＧＲＩＮレンズアレイ３と撮像部２との接着（または接着の解除）、または、ＧＲＩＮレンズアレイ３とイメージ・インテンシファイア１との接着（または接着の解除）は不要である。
【００５１】
また、上記第１および２実施形態では、イメージ・インテンシファイア用モジュール１０、撮像部用モジュール２０、および、ＧＲＩＮレンズ用モジュール３０の３つの別個のモジュールを含む構成の例を示したが、本発明はこれに限られない。たとえば、イメージ・インテンシファイア用モジュール１０、撮像部用モジュール２０、および、ＧＲＩＮレンズ用モジュール３０のうちの２つのモジュールを、１つのモジュールに統合するように構成されていてもよい。
【００５２】
また、上記第１および２実施形態では、撮像部が１つ設けられている構成の例を示したが、本発明はこれに限られない。たとえば、イメージ・インテンシファイア１からの出力光を、波長または色に基づいて複数に分岐させ、それぞれに対応する撮像部を設けていてもよい。
【００５３】
また、上記第１および２実施形態では、ＧＲＩＮレンズアレイ３は、複数のＧＲＩＮレンズ３１がアレイ状に構成されている例を示したが、本発明はこれに限られない。たとえば、１つのＧＲＩＮレンズ３１を用いて、光の伝送を行うような構成であってもよい。
【符号の説明】
【００５４】
１  イメージ・インテンシファイア
２  撮像部
２ａ  受光面
３  ＧＲＩＮレンズアレイ（屈折率分布型レンズ）
３ａ  入射面
３ｂ  出射面
６  カバーレンズ（カバー部）
７  調整部材
７ａ  テーパファイバ（調整部材）
７ｂ  マイクロレンズアレイ（調整部材）
１０  イメージ・インテンシファイア用モジュール
２０  撮像部用モジュール
３０  ＧＲＩＮレンズ用モジュール（屈折率分布型レンズ用モジュール）
【図１】
2017163394.tif 000003
【図２】
2017163394.tif 000004
【図３】
2017163394.tif 000005
【図４】
2017163394.tif 000006
【図５】
2017163394.tif 000007
【図６】
2017163394.tif 000008